(57)【特許請求の範囲】
【請求項１】
矩形状の平板の中央部に第１の主面から第２の主面に渡って矩形状の中空部が形成された矩形枠状の誘電体からなる誘電体基板と、
該誘電体基板の前記第１の主面に配置された第１の接地導体と、
前記誘電体基板の外側の４つの側面および内側の４つの側面にそれぞれ配置されているとともに前記第１の接地導体に接続された８つの第２の接地導体と、
一列状に間隔をあけて前記誘電体基板の前記第１の主面から前記第２の主面に渡って形成されており、内面に配置された第１の内導体が前記第１の接地導体に接続された複数の第１の貫通孔と、
一列状に間隔をあけて前記誘電体基板の前記第１の主面から前記第２の主面に渡って形成されており、内面に配置された第２の内導体が前記第１の接地導体に接続された複数の第２の貫通孔と、
前記誘電体基板の前記第１または第２の主面に配置されており、それぞれの列の一方端部に位置する前記第１および第２の貫通孔の内面に配置された前記第１および第２の内導体に電磁気的に接続されている第１の端子電極と、
前記誘電体基板の前記第１または第２の主面に配置されており、列の他方端部に位置する前記第１の貫通孔の内面に配置された前記第１の内導体に電磁気的に接続されている第２の端子電極と、
前記誘電体基板の前記第１または第２の主面に配置されており、列の他方端部に位置する前記第２の貫通孔の内面に配置された前記第２の内導体に電磁気的に接続されている第３の端子電極とを備え、
前記複数の第１の内導体およびその周囲に配置された前記第２の接地導体によって、第１の周波数で共振して第１の帯域通過フィルタを構成する複数の第１の同軸共振器が構成されており、
前記複数の第２の内導体およびその周囲に配置された前記第２の接地導体によって、第２の周波数で共振して第２の帯域通過フィルタを構成する複数の第２の同軸共振器が構成されており、
前記第１および第２の内導体の全ては、それぞれ２つの前記第２の接地導体に前記誘電体を介して対向するように配置されていることを特徴とする複合フィルタ。
【請求項２】
前記誘電体基板は、互いに平行に間隔をあけて配置された帯状の第１および第２部分ならびに該第１および第２部分の両端部の互いに対向する面同士をそれぞれ接続する帯状の第３および第４部分からなり、
前記複数の第１の貫通孔は前記第１部分に配置されており、
前記複数の第２の貫通孔は前記第２部分に配置されており、
前記第１の端子電極は前記第３部分に配置されており、
前記第２および第３の端子電極は前記第４部分に配置されており、
前記第１および第２の内導体の全てが、それぞれ２つの前記第２の接地導体に前記誘電体を介して対向するように、前記第３および第４部分の幅が前記第１および第２部分の幅よりも小さくされていることを特徴とする請求項１に記載の複合フィルタ。
【請求項３】
前記第１乃至第３の端子電極が前記誘電体基板の前記第１の主面に配置されており、
シールドケースを接続するための第３の接地導体が、前記第３および第４部分の前記第２の主面に配置されて前記第２の接地導体に接続されていることを特徴とする請求項２に記載の複合フィルタ。
【請求項４】
請求項１乃至請求項３のいずれかに記載の複合フィルタと、前記第２の端子電極に電気的に接続された送信回路と、前記第３の端子電極に電気的に接続された受信回路とを備えることを特徴とする無線通信モジュール。
【請求項５】
請求項４に記載の無線通信モジュールと、前記第１の端子電極に電気的に接続されたアンテナとを備えることを特徴とする無線通信機器。
【発明の詳細な説明】
【技術分野】
【０００１】
本発明は、小型で機械的強度および電気特性の優れた複合フィルタならびにそれを用いた無線通信モジュールおよび無線通信機器に関するものである。
【背景技術】
【０００２】
特定の周波数の電気信号を通過させるフィルタとして、誘電体ブロックに形成した貫通孔の内面に配置した内導体と誘電体ブロックの外面に配置した外導体とで構成した同軸共振器を利用したものが知られている。また、２つの帯域通過フィルタを備えた複合フィルタが提案されている（例えば、特許文献１を参照。）。
【先行技術文献】
【特許文献】
【０００３】
【特許文献１】特開平７−254808号公報
【発明の概要】
【発明が解決しようとする課題】
【０００４】
しかしながら、特許文献１にて提案された複合フィルタは、全ての共振器が直線上に配置されているため共振器配列方向に細長い形状になってしまい、大型化と機械的強度の低下が問題となっていた。また、共振器を誘電体内に複数列に分けて配置すると、全ての同軸共振器において、外導体となる接地導体を充分かつ均等に配置するのが困難になるという問題があった。
【０００５】
本発明はこのような従来の技術における問題点に鑑みて案出されたものであり、その目的は、小型で機械的強度および電気特性が優れた複合フィルタならびにそれを用いた無線通信モジュールおよび無線通信機器を提供することにある。
【課題を解決するための手段】
【０００６】
本発明の複合フィルタは、矩形状の平板の中央部に第１の主面から第２の主面に渡って矩形状の中空部が形成された矩形枠状の誘電体からなる誘電体基板と、該誘電体基板の前記第１の主面に配置された第１の接地導体と、前記誘電体基板の外側の４つの側面および内側の４つの側面にそれぞれ配置されているとともに前記第１の接地導体に接続された８つの第２の接地導体と、一列状に間隔をあけて前記誘電体基板の前記第１の主面から前記第２の主面に渡って形成されており、内面に配置された第１の内導体が前記第１の接地導体に接続された複数の第１の貫通孔と、一列状に間隔をあけて前記誘電体基板の前記第１の主面から前記第２の主面に渡って形成されており、内面に配置された第２の内導体が前記第１の接地導体に接続された複数の第２の貫通孔と、前記誘電体基板の前記第１または第２の主面に配置されており、それぞれの列の一方端部に位置する前記第１および第２の貫通孔の内面に配置された前記第１および第２の内導体に電磁気的に接続されている第１の端子電極と、前記誘電体基板の前記第１または第２の主面に配置されており、列の他方端部に位置する前記第１の貫通孔の内面に配置された前記第１の内導体に電磁気的に接続されている第２の端子電極と、前記誘電体基板の前記第１または第２の主面に配置されており、列の他方端部に位置する前記第２の貫通孔の内面に配置された前記第２の内導体に電磁気的に接続されている第３の端子電極とを備え、前記複数の第１の内導体およびその周囲に配置された前記第２の接地導体によって、第１の周波数で共振して第１の帯域通過フィルタを構成する複数の第１の同軸共振器が構成されており、前記複数の第２の内導体およびその周囲に配置された前記第２の接地導体によって、第２の周波数で共振して第２
の帯域通過フィルタを構成する複数の第２の同軸共振器が構成されており、前記第１および第２の内導体の全ては、それぞれ２つの前記第２の接地導体に前記誘電体を介して対向するように配置されていることを特徴とするものである。このような構成を備える複合フィルタによれば、小型で単純かつ対象性が高い形状を有するとともに、全ての同軸共振器において外導体を充分かつ均等に配置することができるので、小型で機械的強度および電気特性が優れた複合フィルタを得ることができる。
【０００７】
また、本発明の複合フィルタは、上記構成の複合フィルタにおいて、前記誘電体基板は、互いに平行に間隔をあけて配置された帯状の第１および第２部分ならびに該第１および第２部分の両端部の互いに対向する面同士をそれぞれ接続する帯状の第３および第４部分からなり、前記複数の第１の貫通孔は前記第１部分に配置されており、前記複数の第２の貫通孔は前記第２部分に配置されており、前記第１の端子電極は前記第３部分に配置されており、前記第２および第３の端子電極は前記第４部分に配置されており、前記第１および第２の内導体の全てが、それぞれ２つの前記第２の接地導体に前記誘電体を介して対向するように、前記第３および第４部分の幅が前記第１および第２部分の幅よりも小さくされていることを特徴とするものである。このような構成を備えるときには、全ての同軸共振器に対して外導体を充分かつ均等に配置しつつ、同軸共振器の内導体と外導体との間隔を大きくするとともに、できるだけ小型化することができるので、さらに小型で電気特性の優れた複合フィルタを得ることができる。
【０００８】
さらに、本発明の複合フィルタは、上記構成の複合フィルタにおいて、前記第１乃至第３の端子電極が前記誘電体基板の前記第１の主面に配置されており、シールドケースを接続するための第３の接地導体が、前記第３および第４部分の前記第２の主面に配置されて前記第２の接地導体に接続されていることを特徴とするものである。このような構成を備えるときには、シールドケースを接続するための第３の接地導体を第１および第２の内導体から離れた場所に配置することができるので、第３の接地導体が第１および第２の内導体に近接配置されることによる同軸共振器のＱ値の低下を防止しつつ、シールドケースを第２の主面に配置することが可能になる。
【０００９】
本発明の無線通信モジュールは、上記各構成のいずれか複合フィルタと、前記第２の端子電極に電気的に接続された送信回路と、前記第３の端子電極に電気的に接続された受信回路とを備えることを特徴とするものである。
【００１０】
本発明の無線通信機器は、上記構成の無線通信モジュールと、前記第１の端子電極に電気的に接続されたアンテナとを備えることを特徴とするものである。
【発明の効果】
【００１１】
上述した構成を備える本発明の複合フィルタによれば、小型で機械的強度および電気特性が優れた複合フィルタを得ることができる。
【００１２】
上述した構成を備える本発明の無線通信モジュールおよび本発明の無線通信機器によれば、小型で機械的強度および電気特性が優れた複合フィルタを利用して通信信号の濾波を行うことから、小型で信頼性および電気特性が優れた無線通信モジュールおよび無線通信機器を得ることができる。
【図面の簡単な説明】
【００１３】
【図１】本発明の実施の形態の第１の例の複合フィルタを模式的に示す外観斜視図である。
【図２】図１に示す複合フィルタの上面を模式的に示す平面図である。
【図３】図１に示す複合フィルタの下面を模式的に示す平面図である。
【図４】本発明の実施の形態の第２の例の無線通信モジュールおよび無線通信機器を模式的に示すブロック図である。
【図５】本発明の実施の形態の第１の例の複合フィルタの電気特性のシミュレーション結果を示す図である。
【発明を実施するための形態】
【００１４】
以下、本発明の複合フィルタを添付の図面を参照しつつ詳細に説明する。
（実施の形態の第１の例）
図１は、本発明の実施の形態の第１の例の複合フィルタを模式的に示す外観斜視図である。図２は、図１に示す複合フィルタの上面を模式的に示す平面図である。図３は、図１に示す複合フィルタの下面を模式的に示す平面図である。
【００１５】
本例の複合フィルタは、図１〜図３に示すように、誘電体基板10と、第１の接地導体11と、８つの第２の接地導体12ａ〜12ｈと、複数の第１の貫通孔21ａ〜21ｆと、複数の第２の貫通孔22ａ〜22ｆと、第１の端子電極41と、第２の端子電極42と、第３の端子電極43とを備えている。
【００１６】
誘電体基板10は、矩形状（正方形状）の平板の中央部に第１の主面（下面）から第２の主面（上面）に渡って矩形状の中空部が形成された矩形枠状の誘電体からなる。また、誘電体基板10は、互いに平行に間隔をあけて配置された帯状の第１部分10ａおよび第２部分10ｂならびに第１および第２部分10ａ，10ｂの両端部の互いに対向する面同士をそれぞれ接続する帯状の第３部分10ｃおよび第４部分10ｄからなる。
【００１７】
第１の接地導体11は、誘電体基板10の第１の主面（下面）の全体に渡って、第１〜第３の端子電極41〜43と間隔をあけて配置されている。８つの第２の接地導体12ａ〜12ｈは、誘電体基板10の外側の４つの側面および内側の４つの側面に、それぞれ全体に渡って配置されているとともに、それぞれ第１の接地導体11に接続されている。
【００１８】
第１の貫通孔21ａ〜21ｆは、誘電体基板10の第１部分10ａに、一列状に間隔をあけて第１の主面から第２の主面に渡って形成されており、内面に配置された第１の内導体（図示せず）が第１の接地導体11に接続されている。また、第１の貫通孔21ａ〜21ｆの内面にそれぞれ配置された第１の内導体は、第２の主面に配置された第１の容量電極51ａ〜51ｆにそれぞれ接続されている。また、第１の貫通孔21ａの内面に配置された第１の内導体は、２つの第２の接地導体12ａ，12ｄに誘電体を介して対向しており、第１の貫通孔21ｂ〜21ｅの内面に配置された第１の内導体は、２つの第２の接地導体12ａ，12ｅに誘電体を介して対向しており、第１の貫通孔21ｆの内面に配置された第１の内導体は、２つの第２の接地導体12ａ，12ｂに誘電体を介して対向している。
【００１９】
第２の貫通孔22ａ〜22ｆは、誘電体基板10の第２部分10ｂに、一列状に間隔をあけて第１の主面から第２の主面に渡って形成されており、内面に配置された第２の内導体（図示せず）が第１の接地導体11に接続されている。また、第２の貫通孔22ａ〜22ｆの内面にそれぞれ配置された第２の内導体は、第２の主面に配置された第２の容量電極52ａ〜52ｆにそれぞれ接続されている。また、第２の貫通孔22ａの内面に配置された第２の内導体は、２つの第２の接地導体12ｃ，12ｄに誘電体を介して対向しており、第２の貫通孔22ｂ〜22ｅの内面に配置された第２の内導体は、２つの第２の接地導体12ｃ，12ｇに誘電体を介して対向しており、第２の貫通孔22ｆの内面に配置された第２の内導体は、２つの第２の接地導体12ｂ，12ｃに誘電体を介して対向している。
【００２０】
第１の端子電極41は、誘電体基板10の第３部分10ｃの第１の主面（下面）に第１の接地導体11と間隔をあけて配置されており、それぞれの列の一方端部に位置する第１および第
２の貫通孔21ａ，22ａの内面に配置された第１および第２の内導体（図示せず）に電磁気的に接続されている。すなわち、第１の端子電極41は、第１の主面（下面）から第２の主面（上面）に渡って形成された貫通孔27の内面に配置された導体に接続されている。貫通孔27の内面に配置された導体は、第３部分10ｃの第２の主面に第１の容量電極51ａに近接するように配置された接続電極53に接続されており、接続電極53と第１の容量電極51ａとの間に静電容量が形成されている。よって、第１の端子電極41は、貫通孔27の内面に配置された導体，接続電極53および第１の容量電極51ａを介して、第１の貫通孔21ａの内面に配置された第１の内導体に電磁気的に接続されている。そして、全く同様に、第１の端子電極41は、貫通孔28の内面に配置された導体，接続電極54および第２の容量電極52ａを介して、第２の貫通孔22ａの内面に配置された第２の内導体に電磁気的に接続されている。
【００２１】
第２の端子電極42は、誘電体基板10の第４部分10ｄの第１の主面（下面）に第１の接地導体11と間隔をあけて配置されており、列の他方端部に位置する第１の貫通孔21ｆの内面に配置された第１の内導体（図示せず）に電磁気的に接続されている。すなわち、第２の端子電極42は、第１の主面から第２の主面に渡って形成された貫通孔29の内面に配置された導体に接続されている。貫通孔29の内面に配置された導体は、第４部分10ｄの第２の主面に第１の容量電極51ｆに近接するように配置された接続電極55に接続されており、接続電極55と第１の容量電極51ｆとの間に静電容量が形成されている。よって、第２の端子電極42は、貫通孔29の内面に配置された導体，接続電極55および第１の容量電極51ｆを介して、第１の貫通孔21ｆの内面に配置された第１の内導体に電磁気的に接続されている。
【００２２】
第３の端子電極43は、誘電体基板10の第４部分10ｄの第１の主面（下面）に第１の接地導体11と間隔をあけて配置されており、列の他方端部に位置する第２の貫通孔22ｆの内面に配置された第２の内導体（図示せず）に電磁気的に接続されている。すなわち、第３の端子電極43は、第１の主面から第２の主面に渡って形成された貫通孔30の内面に配置された導体に接続されている。貫通孔30の内面に配置された導体は、第４部分10ｄの第２の主面に第２の容量電極52ｆに近接するように配置された接続電極56に接続されており、接続電極56と第２の容量電極52ｆとの間に静電容量が形成されている。よって、第３の端子電極43は、貫通孔30の内面に配置された導体，接続電極56および第２の容量電極52ｆを介して、第２の貫通孔22ｆの内面に配置された第１の内導体に電磁気的に接続されている。
【００２３】
そして、複数の第１の内導体（図示せず）およびその周囲に配置された第２の接地導体12によって、第１の周波数で共振して第１の帯域通過フィルタを構成する複数の第１の同軸共振器が構成されており、複数の第２の内導体（図示せず）およびその周囲に配置された第２の接地導体12によって、第２の周波数で共振して第２の帯域通過フィルタを構成する複数の第２の同軸共振器が構成されている。
【００２４】
このようにして、第１の端子電極41と第２の端子電極42との間に、第１の周波数の電気信号を通過させる第１の帯域通過フィルタが構成されているとともに、第１の端子電極41と第３の端子電極43との間に第２の周波数の電気信号を通過させる第２の帯域通過フィルタが構成された、複合フィルタが構成されている。
【００２５】
このような構成を備える本例の複合フィルタによれば、単純かつ対象性が高い形状である矩形枠状の誘電体基板10に複数の同軸共振器が一列上に配置された構成を有することから、小型で機械的強度の優れた複合フィルタを得ることができる。すなわち、発明者の検討によると、多数の共振器が直線上に配置される場合は、一方向に大型化するとともに、細長い形状になって機械的強度が不足するという問題が発生する。また、くの字形やコの字形に折り返した場合にも、長さ方向の端部を有する細長い形状であることは変わらないことから、“ねじれ”が生じやすいため振動に対する強度が低く、また、外部の実装基板に実装したときに実装基板との熱膨張率の差による応力によって直線部と直線部との間の
接合部に集中してクラックが生じやすいという問題がある。また、対象性が低い形状であることから、誘電体基板10をセラミックで構成する場合に焼成時の収縮が不均一になって形状が歪んでしまうという問題がある。これに対して、本例の複合フィルタによれば、長さが長くなってしまう共振器配列方向の両端部同士が接合された端部が存在しない形状であり、単純かつ対象性が高い形状である矩形枠状の誘電体基板10に複合フィルタが構成されていることから、特定の長さが長い方向がなく、実装時の応力集中が緩和された、“ねじれ”が生じにくいため振動にも強い、複合フィルタを得ることができる。すなわち、小型で機械的強度が高い複合フィルタを得ることができる。
【００２６】
また、本例の複合フィルタは、複数の第１の内導体とその周囲に配置された外導体として機能する第２の接地導体12とによって複数の第１の同軸共振器が構成されており、複数の第２の内導体とその周囲に配置された外導体として機能する第２の接地導体12とによって複数の第２の同軸共振器が構成されており、複数の第１および第２の内導体の全ては、外導体として機能するそれぞれ２つの第２の接地導体12に誘電体を介して対向するように配置されている。これにより、全ての同軸共振器において外導体を充分かつ均等に配置することができることから、同軸共振器のＱ値の低下を防止しつつ、同軸共振器のＱ値および共振周波数のばらつきを防止できるので、電気特性が優れた複合フィルタを得ることができる。
【００２７】
このように、多数の共振器が一方向に配列されるために必然的に細長い形状になり、その上に、その細長い形状の誘電体に多数の貫通孔が形成されるため機械的強度を高くすることが非常に困難であり、さらに多数の貫通孔のそれぞれの周囲に充分な接地導体を均等に配置する必要がある同軸共振器を用いた複合フィルタにおいて、矩形枠状の誘電体基板10に構成された本例の複合フィルタは最も理にかなった複合フィルタである。
【００２８】
さらに、本例の複合フィルタは、第１および第２の内導体の全てが、それぞれ２つの第２の接地導体12に誘電体を介して対向するように、第３部分10ｃおよび第４部分10ｄの幅が第１部分10ａおよび第２部分10ｂの幅よりも小さくされている。このような構成を備えることから、全ての同軸共振器に対して外導体を充分かつ均等に配置しつつ、第１部分10ａおよび第２部分10ｂの幅を広げて同軸共振器の内導体と外導体との間隔を大きくするとともに、第３部分10ｃおよび第４部分10ｄの幅をできるだけ小さくして小型化することができるので、さらに小型で電気特性の優れた複合フィルタを得ることができる。
【００２９】
またさらに、本例の複合フィルタは、シールドケースを接続するための第３の接地導体13ａ，13ｂ，13ｃが、第３部分10ｃおよび第４部分10ｄの第２の主面に配置されて第２の接地導体12ａ〜12ｈに接続されている。このような構成を備えることから、シールドケースを接続するための第３の接地導体13ａ，13ｂ，13ｃが、同軸共振器を構成する第１および第２の内導体と第２の接地導体12ａ〜12ｈとの間に配置されるのを防止でき、第１および第２の内導体から離れた場所に配置することができる。これにより、第３の接地導体13ａ，13ｂ，13ｃが第１および第２の内導体に近接配置されることによる同軸共振器のＱ値の低下を防止しつつ、シールドケースを第２の主面に配置することが可能になる。
【００３０】
さらにまた、本例の複合フィルタは、第４部分10ｄの第２の端子電極42と第３の端子電極43との間に、第１の主面（下面）から第２の主面（上面）に渡って形成された複数の貫通孔33が配置されており、それぞれの貫通孔33内面に配置された導体の両端が第１の接地導体11および第３の接地導体13ｃに接続されている。このような構成を備えることから、第４部分10ｄに近接して配置された第２の端子電極42と第３の端子電極43との間の電磁気的な結合を抑制することができるので、第２の端子電極42と第３の端子電極43との間のアイソレーションを高めることができる。
【００３１】
またさらに、本例の複合フィルタは、第２の容量電極52ａが第２の貫通孔22ａから第１の端子電極41に向かって引き出されており、第２の容量電極52ｆが第２の貫通孔22ａから第３の端子電極43に向かって引き出されている。このような構成を備えることから、接続電極54の第２の貫通孔22ａへの接近および接続電極56の第２の貫通孔22ｆへの接近を防止できるので、第２の通過帯域フィルタにおいて高次モード共振による減衰量の減少を低減することができる。
【００３２】
さらにまた、本例の複合フィルタは、第１の接地導体11において、第２の貫通孔22ｂ，22ｃを結ぶ線の両側と、第２の貫通孔22ｃ，22ｄを結ぶ線の両側と、第２の貫通孔22ｄ，22ｅを結ぶ線の両側とに位置するに、第１の接地導体11の非形成部71〜76が配置されている。このような構成を備えることから第２の貫通孔22ｂ〜22ｅの内面に配置された第２の内導体同士の磁界による結合を強めることができる。
【００３３】
本例の複合フィルタにおいて、誘電体基板10の材質としては、例えばエポキシ樹脂等の樹脂や例えば誘電体セラミックス等のセラミックスを用いることができる。例えば、ＢａＴｉＯ３，Ｐｂ４Ｆｅ２Ｎｂ２Ｏ１２，ＴｉＯ２等の誘電体セラミック材料と、Ｂ２Ｏ３，ＳｉＯ２，Ａｌ２Ｏ３，ＺｎＯ等のガラス材料とからなり、800〜1200℃程度の比較的
低い温度で焼成が可能なガラス−セラミック材料が好適に用いられる。
【００３４】
前述した各種の電極および導体の材質としては、例えば、Ａｇ，Ａｇ−Ｐｄ，Ａｇ−Ｐｔ等のＡｇ合金を主成分とする導電材料やＣｕ系，Ｗ系，Ｍｏ系，Ｐｄ系導電材料等が好適に用いられる。各種の電極および導体の厚みは、例えば0.001〜0.2ｍｍに設定される。
【００３５】
本例の複合フィルタは、例えば次のようにして作製することができる。まず、セラミック原料粉末に適当な有機溶剤等を添加・混合して泥漿を作製するとともに、ドクターブレード法によってセラミックグリーンシートを形成する。次に、得られたセラミックグリーンシートにパンチングマシーン等を用いて貫通孔を形成し、Ａｇ，Ａｇ−Ｐｄ，Ａｕ，Ｃｕ等の導体を含む導体ペーストを充填するとともにセラミックグリーンシートの表面に印刷法を用いて前述したのと同様の導体ペーストを塗布して導体ペースト付きセラミックグリーンシートを作製する。次に、これらの導体ペースト付きセラミックグリーンシートを積層し、ホットプレス装置を用いて圧着し、800℃〜1050℃程度のピーク温度で焼成する
ことにより作製される。また、従来の誘電体ブロックを使用した同軸共振器型の誘電体フィルタと同様に作成しても構わない。
【００３６】
（実施の形態の第２の例）
図４は本発明の実施の形態の第２の例の無線通信モジュール84および無線通信機器85を模式的に示すブロック図である。
【００３７】
本例の無線通信モジュール84は、図１〜図３に示した実施の形態の第１の例の複合フィルタ80と、第２の端子電極42に接続された送信回路81と、第３の端子電極43に接続された受信回路83とを備えている。また、本例の無線通信機器85は、上記構成の無線通信モジュール84と、第１の端子電極41に接続されたアンテナ82とを備えている。
【００３８】
このような構成を備える本例の無線通信モジュール84および本発明の無線通信機器85によれば、小型で機械的強度および電気特性が優れた実施の形態の第１の例の複合フィルタ80を利用して通信信号の濾波を行うことから、小型で信頼性および電気特性が優れた無線通信モジュール84および無線通信機器85を得ることができる。
【実施例】
【００３９】
次に、本発明の複合フィルタの具体例について説明する。
【００４０】
図１〜３に示した本発明の実施の形態の第１の例の複合フィルタの電気特性を、有限要素法を用いたシミュレーションによって算出した。そのシミュレーション結果を図５に示す。グラフの横軸は周波数で縦軸は減衰量であり、複合フィルタにおける第１の帯域通過フィルタおよび第２の帯域通過フィルタの通過特性を示している。
【００４１】
図５に示す通過特性においては、２つの帯域通過フィルタの両方において、平坦で低損失な通過帯域から高減衰の阻止域へ急激に減衰量が変化する優れた通過特性が得られていることがわかる。これにより、本発明の有効性が確認できた。
【００４２】
なお、このシミュレーションにおいては、誘電体基板10を構成する誘電体の比誘電率を11.5とし、誘電正接を0.0001とした。各種電極および導体は銀とした。誘電体基板10は、１辺が52ｍｍで厚みが6.99ｍｍの正方形の誘電体板の中央に幅が24ｍｍで長さが30ｍｍの矩形状の中空部を有する矩形枠状とし、第１部分10ａおよび第２部分10ｂは幅が14ｍｍで長さが52ｍｍで厚みが6.99ｍｍの直方体状とし、第３部分10ｃおよび第４部分10ｄは幅が11ｍｍで長さが24ｍｍで厚みが6.99ｍｍの直方体状とした。第１の貫通孔21ａ〜21ｆおよび第２の貫通孔22ａ〜22ｆの直径は3ｍｍとした。
【符号の説明】
【００４３】
10：誘電体基板
10ａ：第１部分
10ｂ：第２部分
10ｃ：第３部分
10ｄ：第４部分
11：第１の接地導体
12（12ａ〜12ｈ）：第２の接地導体
13ａ，13ｂ，13ｃ：第３の接地導体
21ａ〜21ｆ：第１の貫通孔
22ａ〜22ｆ：第２の貫通孔
41：第１の端子電極
42：第２の端子電極
43：第３の端子電極
80：複合フィルタ
81：送信回路
83：受信回路
82：アンテナ
84：無線通信モジュール
85：無線通信機器
【図１】
0005409412.tif 000002
【図２】
0005409412.tif 000003
【図３】
0005409412.tif 000004
【図４】
0005409412.tif 000005
【図５】
0005409412.tif 000006